(57)【要約】  二重周波数ダイバーシティ送信機のための、調整可能静電容量ネットワークを含む広帯域調整可能合成器システムを提供する。このシステムを用いて、同じオーディオ信号を含む非干渉性ＲＦ信号を合成ＲＦ信号に合成してアンテナ上で送信することができる。調整可能静電容量ネットワークは、合成器及びバンドパスフィルタと共に、広い動作帯域幅を維持しながら非干渉性ＲＦ信号間の分離を最適化して相互変調を低減することができる。調整可能静電容量ネットワークの容量値は、非干渉性ＲＦ信号の周波数、ＲＦスペクトル情報又はアンテナ負荷データに基づいて選択することができる。調整可能合成器システムを含むＲＦ送信機は、改善されたスペクトル効率及び性能を有して利用可能なスペクトルを生かすことができる。【選択図】      図２
2018532286.tif 000002
【特許請求の範囲】
【請求項１】
調整可能合成器システムであって、
第１、第２及び第３のポートを有し、前記第１のポートにおいて受け取られた、第１の周波数で変調されたオーディオ信号を含む第１の無線周波数（ＲＦ）信号と、前記第２のポートにおいて受け取られた、第２の周波数で変調されたオーディオ信号を含む第２のＲＦ信号とを合成して、前記第３のポートにおける合成ＲＦ信号にするように構成された合成器と、
前記合成器の第３のポートに結合された調整可能静電容量ネットワークと、
前記調整可能静電容量ネットワークに結合された入力部と、送信アンテナに結合する出力部とを有するバンドパスフィルタと、
を備えることを特徴とする調整可能合成器システム。
【請求項２】
前記調整可能静電容量ネットワークは、
前記合成器の第３のポート及び接地に結合された第１の調整可能コンデンサと、
前記バンドパスフィルタの入力部及び接地に結合された第２の調整可能コンデンサと、
を含む、請求項１に記載の調整可能合成器システム。
【請求項３】
前記合成器は、ウィルキンソン合成器を含む、
請求項２に記載の調整可能合成器システム。
【請求項４】
前記ウィルキンソン合成器は、出力トランス脚部を有する二段ウィルキンソン合成器を含む、
請求項３に記載の調整可能合成器システム。
【請求項５】
前記出力トランス脚部は、
接地に対して前記第１の調整可能コンデンサと並列である第１のコンデンサと、
接地に対して前記第２の調整可能コンデンサと並列である第２のコンデンサと、
前記第１のコンデンサ、前記第２のコンデンサ、前記第１の調整可能コンデンサ及び前記第２の調整可能コンデンサに結合されたインダクタと、
を含む、請求項４に記載の調整可能合成器システム。
【請求項６】
前記バンドパスフィルタは、個別部品で構成される、
請求項１に記載の調整可能合成器システム。
【請求項７】
前記第１及び第２の調整可能コンデンサの各々は、デジタル調整可能コンデンサを含む、
請求項２に記載の調整可能合成器システム。
【請求項８】
前記デジタル調整可能コンデンサは、微小電気機械コンデンサを含む、
請求項７に記載の調整可能合成器システム。
【請求項９】
前記デジタル調整可能コンデンサは、少なくとも１つのダイオードを含む切替ディスクリートコンデンサを含む、
請求項７に記載の調整可能合成器システム。
【請求項１０】
前記第１及び第２の調整可能コンデンサの容量値は、前記第１のＲＦ信号の前記第１の周波数と前記第２のＲＦ信号の前記第２の周波数とに基づいて決定される、
請求項２に記載の調整可能合成器システム。
【請求項１１】
前記第１及び第２の調整可能コンデンサと通信するプロセッサをさらに備え、該プロセッサは、
前記第１のＲＦ信号の前記第１の周波数と前記第２のＲＦ信号の前記第２の周波数とを受け取り、
前記第１のＲＦ信号の前記第１の周波数と前記第２のＲＦ信号の前記第２の周波数とに基づいて前記第１及び第２の調整可能コンデンサの容量値をそれぞれ決定し、
前記第１及び第２の調整可能コンデンサの前記容量値を設定する、
ように構成される、請求項１０に記載の調整可能合成器システム。
【請求項１２】
前記第１及び第２の調整可能コンデンサと通信するプロセッサをさらに備え、該プロセッサは、
前記送信アンテナに関連するアンテナ負荷データを受け取り、
前記アンテナ負荷データに基づいて前記第１及び第２の調整可能コンデンサの容量値を決定し、
前記第１及び第２の調整可能コンデンサの前記容量値を設定する、
ように構成される、請求項２に記載の調整可能合成器システム。
【請求項１３】
第１の周波数で変調されたオーディオ信号を含む第１の無線周波数（ＲＦ）信号と、第２の周波数で変調されたオーディオ信号を含む第２のＲＦ信号とを合成する方法であって、
合成器の第１のポートにおいて前記第１のＲＦ信号を受け取り、前記合成器の第２のポートにおいて前記第２のＲＦ信号を受け取るステップと、
前記合成器の出力ポートに結合された調整可能静電容量ネットワークの容量値を決定するステップと、
前記調整可能静電容量ネットワークの前記決定された容量値を設定するステップと、
前記合成器を用いて前記第１のＲＦ信号と前記第２のＲＦ信号とを合成して、前記合成器の前記出力ポートにおける合成ＲＦ信号にするステップと、
前記調整可能静電容量ネットワークに結合された入力部と、送信アンテナに結合する出力部とを有するバンドパスフィルタを用いて、前記合成ＲＦ信号をバンドパスフィルタ処理してフィルタ処理済み合成ＲＦ信号にするステップと、
を含むことを特徴とする方法。
【請求項１４】
前記調整可能静電容量ネットワークの前記容量値を決定するステップは、プロセッサを用いて、前記第１のＲＦ信号の前記第１の周波数と前記第２のＲＦ信号の前記第２の周波数とに基づいて前記調整可能コンデンサの前記容量値をそれぞれ決定するステップを含む、
請求項１３に記載の方法。
【請求項１５】
前記調整可能静電容量ネットワークの前記容量値を決定するステップは、前記プロセッサを用いて、前記プロセッサと通信するメモリに記憶されたルックアップテーブルに前記第１及び第２の周波数について問い合わせを行うステップを含む、
請求項１４に記載の方法。
【請求項１６】
前記調整可能静電容量ネットワークは、
前記合成器の前記第３のポート及び接地に結合された第１の調整可能コンデンサと、
前記バンドパスフィルタの前記入力部及び接地に結合された第２の調整可能コンデンサと、
を含む、請求項１３に記載の方法。
【請求項１７】
前記調整可能静電容量ネットワークの前記容量値を決定するステップは、プロセッサを用いて、前記第１のＲＦ信号の前記第１の周波数と前記第２のＲＦ信号の前記第２の周波数とに基づいて前記第１及び第２の調整可能コンデンサの容量値をそれぞれ決定するステップを含み、
前記調整可能静電容量ネットワークの前記決定された容量値を設定するステップは、前記プロセッサを用いて、前記第１及び第２の調整可能コンデンサの前記決定された容量値を設定するステップを含む、
請求項１６に記載の方法。
【請求項１８】
前記調整可能静電容量ネットワークの前記容量値を決定するステップは、前記ＲＦスペクトルにおける相互変調の測定値に基づいて前記調整可能静電容量ネットワークの容量値を決定するステップを含む、
請求項１３に記載の方法。
【請求項１９】
前記調整可能静電容量ネットワークの前記容量値を決定するステップは、前記送信アンテナに関連するアンテナ負荷データに基づいて前記調整可能静電容量ネットワークの容量値を決定するステップを含む、
請求項１３に記載の方法。
【請求項２０】
前記合成器は、ウィルキンソン合成器を含む、
請求項１３に記載の方法。
【発明の詳細な説明】
【技術分野】
【０００１】
〔関連出願との相互参照〕
本出願は、２０１５年８月１２日に出願された米国特許出願第１４／８２４，６１９号の利益を主張するものであり、この文献の内容は全体が引用により本明細書に組み入れられる。
【０００２】
本出願は、一般に広帯域調整可能合成器システム（wideband tunable combiner system）に関する。具体的には、本出願は、二重周波数ダイバーシティ送信機における分離を改善して相互変調を低減する調整可能静電容量ネットワーク（tunable capacitance network）を含む広帯域調整可能合成器システムに関する。
【背景技術】
【０００３】
オーディオ制作では、テレビ番組、ニュース放送、映画、ライブイベント及びその他のタイプの製作物などの製作物の音を取り込み、録音して提供するために、マイク、無線オーディオ送信機、無線オーディオ受信機、録音機及び／又ミキサを含む多くの構成要素の使用が必要となり得る。通常は、製作物の音をマイクが取り込み、この音がマイク及び／又は無線オーディオ送信機から無線オーディオ受信機に無線で送信される。無線オーディオ受信機は、クルーメンバが録音及び／又はミキシングを行うための、プロダクションサウンドミキサなどの録音機及び／又はミキサに接続することができる。これらの録音機及び／又はミキサには、クルーメンバがオーディオレベル及びタイムコードをモニタできるように、コンピュータ及びスマートフォンなどの電子装置を接続することができる。
【０００４】
無線オーディオ送信機、無線オーディオ受信機、無線マイク及びその他のポータブル無線通信装置は、変調オーディオ信号、データ信号及び／又は制御信号などのデジタル又はアナログ信号を含む無線周波数（ＲＦ）信号を送信するためのアンテナを含む。ポータブル無線通信装置のユーザとしては、舞台出演者、歌手、俳優及びニュースレポータなどが挙げられる。１つの一般的なタイプのポータブル無線通信装置に、通常はベルトクリップ、ストラップ、テープなどでユーザの身体に固定される無線ボディパック送信機がある。別の一般的なタイプのポータブル無線通信装置には、ユーザの手に握られる、一体型送信機及びアンテナを含む無線ハンドヘルドマイクがある。
【０００５】
無線送信機は、周波数ダイバーシティを利用して、いずれも同じオーディオ信号を含む２つの別個の周波数の２つのＲＦ信号を１つのアンテナ上で合成ＲＦ信号の形で同時に送信することができる。これにより、合成ＲＦ信号を受け取る無線受信機が、内在する一方又は両方のＲＦ信号を用いて確実に途切れなくオーディオ信号を処理できるようにすることができる。例えば、一方の周波数における一方のＲＦ信号に干渉が働く場合、無線受信機は、他方の周波数における他方のＲＦ信号を利用することができる。従って、周波数ダイバーシティを利用する無線送信機は、オーディオ信号を２つの異なる周波数の非干渉性ＲＦ信号に変調した後に、これらの２つのＲＦ信号を合成ＲＦ信号に合成して単一のアンテナ上で送信することができる。
【先行技術文献】
【特許文献】
【０００６】
【特許文献１】米国特許出願公開第２０１５／０１６２８９７号明細書
【発明の概要】
【発明が解決しようとする課題】
【０００７】
２つの非干渉性ＲＦ信号を合成する際には、スペクトル効率が高くなり、すなわちスペクトルの使用が最適になるという理由で、これらの２つのＲＦ信号をできるだけ互いに分離して相互変調を低減することが望ましい。従って、生成物の相互変調が大きいと、他の用途に利用できるスペクトルが減少するとともに干渉が生じ、及び／又は同じスペクトルを共有する他の無線送信機のオーディオ明瞭性が低下する可能性がある。例えば、ウィルキンソン合成器を用いた２つのＲＦ信号の合成は、ＲＦ信号間の抵抗を利用して分離を高め、相互変調を低減する。通常、ウィルキンソン合成器は、特定の用途のニーズに応じて単一段又は複数段で実装される。しかしながら、ウィルキンソン合成器は、高い分離をもたらすことはできるが帯域幅に制限があり、特定の用途及び環境での使用に適さない場合もある。具体的に言えば、典型的なウィルキンソン合成器の制限された帯域幅は、無線送信機による利用可能なスペクトルの活用を妨げ、従ってスペクトル効率が低くなり得る。また、多段ウィルキンソン合成器の出力部におけるフィルタは、ＲＦ信号間の十分な分離と、合成器の段間のインピーダンスバランスとを維持できる一方で、所望の送信機帯域幅を達成する能力に影響を及ぼすこともある。
【０００８】
従って、これらの課題に対処する合成器システムに可能性がある。具体的には、二重周波数ダイバーシティ送信機における分離を改善して相互変調を低減する調整可能静電容量ネットワークを含む広帯域調整可能合成器システムに可能性がある。
【課題を解決するための手段】
【０００９】
本発明は、とりわけ（１）周波数ダイバーシティ送信機において分離を最適化して相互変調を低減した状態で非干渉性ＲＦ信号を合成し、（２）広い動作帯域幅を維持し、（３）送信機のスペクトル効率及び性能を改善し、（４）システム内の合成器の段間のインピーダンスのバランスを取る、ように設計された調整可能合成器システム及び方法を提供することによって上述の問題を解決することを目的とする。
【００１０】
ある実施形態では、調整可能合成器システムが、第１、第２及び第３のポートを有し、第１のポートにおいて受け取られた第１のＲＦ信号と第２のポートにおいて受け取られた第２のＲＦ信号とを合成して第３のポートにおける合成ＲＦ信号にするように構成できる合成器を含むことができる。第１のＲＦ信号及び第２のＲＦ信号の各々は、第１の周波数及び第２の周波数で変調されたオーディオ信号をそれぞれ含むことができる。調整可能合成器システムは、合成器の第３のポートに結合された調整可能静電容量ネットワークと、調整可能静電容量ネットワークに結合された入力部と送信アンテナに結合する出力部とを有するバンドパスフィルタとを含むこともできる。
【００１１】
別の実施形態では、第１のＲＦ信号と第２のＲＦ信号とを合成する方法が、合成器の第１のポートにおいて受け取られた第１のＲＦ信号と合成器の第２のポートにおいて受け取られた第２のＲＦ信号とを合成して、合成器の第３のポートにおける合成ＲＦ信号にするステップを含むことができる。第１のＲＦ信号及び第２のＲＦ信号の各々は、第１の周波数及び第２の周波数で変調されたオーディオ信号をそれぞれ含むことができる。この方法は、合成器の第３のポートに結合された調整可能静電容量ネットワークの容量値（capacitance value）を決定するステップと、調整可能静電容量ネットワークの決定された容量値を設定するステップと、バンドパスフィルタを用いて合成ＲＦ信号をバンドパスフィルタ処理してフィルタ処理済み合成ＲＦ信号にするステップとを含むこともできる。バンドパスフィルタは、調整可能静電容量ネットワークに結合された入力部と送信アンテナに結合する出力部とを有することができる。
【００１２】
本発明の原理を使用できる様々な方法を示す例示的な実施形態を記載する以下の詳細な説明及び添付図面からは、これらの及びその他の実施形態、並びに様々な置換及び態様が明らかになり、さらに十分に理解されるであろう。
【図面の簡単な説明】
【００１３】
【図１】いくつかの実施形態による、調整可能合成器システムを含むＲＦ送信機の例図である。
【図２】いくつかの実施形態による調整可能合成器システムの例図である。
【図３】いくつかの実施形態による、出力トランス脚部を有する二段ウィルキンソン合成器の例図である。
【図４】いくつかの実施形態による調整可能合成器システムの詳細な例図である。
【図５】いくつかの実施形態による、調整可能合成器システムを用いてＲＦ信号を合成する動作を示すフローチャートである。
【発明を実施するための形態】
【００１４】
以下の説明は、本発明の原理に従う本発明の１又は２以上の特定の実施形態を説明し、図示し、例示するものである。この説明は、本明細書で説明する実施形態に本発明を限定するためではなく、むしろ当業者が本発明の原理を理解した上でこれらの原理を応用し、本明細書で説明する実施形態のみならず、これらの原理に基づいて想起される他の実施形態も実施できるように、本発明の原理の説明及び教示のために行うものである。本発明の範囲は、文言上、又は均等論の下で添付の特許請求の範囲に含まれる可能性のある全ての実施形態を対象とすることが意図されている。
【００１５】
なお、説明及び図面では、類似する又は実質的に同様の要素には同じ参照数字を付すことができる。しかしながら、例えば異なる数字を付した方が説明が明確になるような場合には、これらの要素に異なる数字を付すこともある。また、本明細書に示す図面は必ずしも縮尺通りではなく、場合によっては特定の特徴をより明確に示すために比率を誇張していることもある。このような表示及び作図手法は、必ずしも根底にある本質的な目的に関与するものではない。上述したように、本明細書は、本明細書で教示され当業者に理解される本発明の原理に従って全体として受け取られ解釈されるように意図されている。
【００１６】
本明細書で説明する調整可能合成器システムは、周波数ダイバーシティＲＦ送信機においてＲＦ信号を最適に分離し、広い動作帯域幅を維持して相互変調を低減しながら、非干渉性ＲＦ信号を合成ＲＦ信号に合成して単一のアンテナ上で送信するために利用することができる。この調整可能合成器システムは、システムに含まれる合成器の段間のインピーダンスのバランスを取るのに役立つこともできる。調整可能合成器システム内の調整可能静電容量ネットワークが、合成器の段間反射を操作することによってＲＦ信号間の分離の能動的な調整を可能にする。従って、この調整可能合成器システムは、ＲＦ送信機が利用可能なスペクトルを生かせるように送信機のスペクトル効率及び性能を改善して送信機の帯域幅を増やすことができる。
【００１７】
図１は、調整可能合成器システム１１２を含むＲＦ送信機１００の実施形態の例図である。ＲＦ送信機１００は、アンテナ１１４上で合成ＲＦ信号を送信する周波数ダイバーシティ送信機とすることができる。合成ＲＦ信号は、各々が同じオーディオ信号を含む２つのＲＦ信号で構成することができる。オーディオ信号は、マイク又は再生装置などの音源１０２によって検出及び／又は生成することができる。例えば、音源がマイクである場合には、音を検出してオーディオ信号に変換することができる。音源１０２は、ＲＦ送信機１００によって変調され送信されるオーディオ信号を生成することができる。当業で周知のように、周波数ダイバーシティを利用するＲＦ送信機１００では、音源１０２によって生成されたオーディオ信号を送信機モデム１０３が受け取り、処理し、変換して同相（Ｉ）信号と直交位相（Ｑ）信号とを生成することができる。その後、別個のＲＦ変調器１０４、１０８が、Ｉ信号及びＱ信号を受け取ることができる。ＲＦ変調器１０４、１０８は、２つの異なる周波数におけるアナログ又はデジタル変調スキームに従ってオーディオ信号を変調することができる。例えば、オーディオ信号は、４７３ＭＨｚ及び４７９ＭＨｚでＲＦ信号に変調することができるが、他の好適な周波数で変調することもできる。いくつかの実施形態では、ＲＦ送信機１００が、ＵＨＦ帯域における２５％比帯域よりも大きな比帯域で動作することができる。
【００１８】
ＲＦ変調器１０４、１０８によって生成された２つのＲＦ信号は、対応する増幅器１０６、１１０によってそれぞれ増幅することができる。これらの２つの増幅ＲＦ信号を調整可能合成器システム１１２によって合成することにより、２つの増幅ＲＦ信号を含む合成ＲＦ信号をアンテナ１１４上で送信できるようになる。このようにすると、合成ＲＦ信号を受け取るＲＦ受信機は、内在する増幅ＲＦ信号の複数の周波数に起因してオーディオ信号を途切れなく処理する可能性が高くなると考えられる。なお、図１に示すＲＦ送信機１００は単純化されており、本開示に直接関連しないスイッチ、発振器、シンセサイザなどの他の構成要素（図示せず）を含むこともできる。
【００１９】
図２は、合成器２０６と、インダクタ２０８と、調整可能静電容量ネットワーク２１０と、バンドパスフィルタ２１６とを含む調整可能合成器システム１１２の実施形態の例図である。調整可能合成器システム１１２は、合成ＲＦ信号を送信するアンテナ１１４に結合することができる。２つのポート２０２、２０４は、調整可能合成器システム１１２によって合成すべきＲＦ信号を受け取る図２に示していない構成要素（例えば、図１に示す増幅器１０６、１１０）に結合することができる。上述したように、各ＲＦ信号は同じオーディオ信号を含むが、異なる周波数で変調される。ポート２０２、２０４において受け取られたＲＦ信号は、合成器２０６が受け取ることができる。合成器２０６は、いくつかの実施形態では二段ウィルキンソン合成器とすることができ、２つのＲＦ信号を合成ＲＦ信号に合成して出力することができる。他の実施形態では、合成器２０６を、ディスクリートブランチライン合成器又はディスクリートハイブリッド合成器とすることもできる。
【００２０】
調整可能静電容量ネットワーク２１０は、２つの調整可能コンデンサ２１２、２１４を含むことができる。一方の調整可能コンデンサ２１２は、合成器２０６の出力部及び接地に結合することができ、他方の調整可能コンデンサ２１４は、バンドパスフィルタ２１６の入力部及び接地に結合することができる。従って、調整可能コンデンサ２１２、２１４は、可変シャントコンデンサとすることができる。調整可能コンデンサ２１２、２１４間には、インダクタ２０８が結合される。以下でさらに詳細に説明するように、インダクタ２０８は、合成器２０６の出力トランス脚部の一部である。バンドパスフィルタ２１６は、ＲＦ送信機１００によって送信される周波数帯の範囲外の不要な信号を除去して減衰させることにより、合成器２０６からの合成ＲＦ信号をフィルタ処理してフィルタ処理済み合成ＲＦ信号にすることができる。例えば、バンドパスフィルタ２１６によって除去され減衰される信号は、増幅器によって生成された第２高調波などのスプリアス発射を含むことができる。フィルタ処理済み合成ＲＦ信号は、バンドパスフィルタ２１６によって出力され、アンテナ１１４上で送信することができる。
【００２１】
調整可能静電容量ネットワーク２１０及びインダクタ２０８は、合成器２０６におけるＲＦ信号間の分離をより広い動作帯域幅にわたって効果的に調整できるようにする。具体的には、調整可能コンデンサ２１２、２１４の容量値を適切に選択することによって、合成器２０６におけるＲＦ信号間の分離を改善することができる。さらに、調整可能コンデンサ２１２、２１４の容量値を適切に選択することによって、合成器２０６のソースインピーダンスＺSとバンドパスフィルタ２１６の負荷インピーダンスＺLとの間の段間整合を改善することもできる。
【００２２】
調整可能コンデンサ２１２、２１４は、プロセッサがシリアルインターフェイス又はその他の制御ポートなどを通じて制御できるデジタル調整可能コンデンサとすることができる。デジタル調整可能コンデンサは、例えば微小電気機械コンデンサ、及び／又は少なくとも１つのダイオードを用いた切替ディスクリートコンデンサを含むことができる。調整可能コンデンサ２１２、２１４は、例えばＰｅｒｅｇｒｉｎｅ  Ｓｅｍｉｃｏｎｄｕｃｔｏｒ社から市販されているＰＥ６４１０１デジタル調整可能コンデンサとすることができる。
【００２３】
１つの実施形態では、調整可能コンデンサ２１２、２１４の容量値をＲＦ信号の周波数に基づいて決定することができる。例えば、プロセッサは、ＲＦ信号の周波数を最大限に分離する好適な調整可能コンデンサ２１２、２１４の容量値が決定されるように、これらの周波数についてルックアップテーブルに問い合わせを行うことができる。考えられる調整可能コンデンサ２１２、２１４の容量値は予め決定し、考えられるＲＦ信号の周波数に関連するものとしてルックアップテーブルに記憶しておくことができる。このルックアップテーブルは、例えばプロセッサと通信するメモリに記憶することができる。
【００２４】
別の実施形態では、調整可能コンデンサ２１２、２１４の容量値を、ＲＦスペクトルの測定値に基づいて能動的に制御して決定することができる。例えば、ＲＦスペクトルを連続的にスキャンし、モニタし、分析して、相互変調値を測定することができる。この測定された相互変調値に基づいて、調整可能コンデンサ２１２、２１４の好適な容量値を相互変調積が最小になるように決定することができる。
【００２５】
さらなる実施形態では、調整可能コンデンサ２１２、２１４の容量値を、アンテナ１１４に関連するアンテナ負荷データに基づいて能動的に制御して決定することができる。例えば、使用するＲＦ信号の周波数を最大限に分離する好適な調整可能コンデンサ２１２、２１４の容量値が決定されるように近接場ＲＦ信号を検知することができる。同一出願人による米国特許出願公開第２０１５／０１６２８９７号には、アンテナ負荷を検知するための適応的自己同調型（adaptive self-tunable）アンテナシステムの実施形態が記載されており、この文献は全体が引用により本明細書に組み入れられる。
【００２６】
図４は、合成器２０６及びバンドパスフィルタ２１６を構成する個別部品のさらなる詳細を含む調整可能合成器システム１１２の実施形態の例図である。上述したように、２つのポート２０２、２０４は、図１に示す増幅器１０６、１１０などの、調整可能合成器システム１１２の外部からのＲＦ信号を受け取ることができる。このＲＦ信号は、調整可能合成器システム１１２によって、具体的には合成器２０６によって合成ＲＦ信号に合成することができる。合成器２０６は、図３及び図４に示すような出力トランス脚部３０６を有する個別の二段ウィルキンソン合成器とすることができる。二段ウィルキンソン合成器は、ＲＦ信号を合成ＲＦ信号に合成する（図３にλ／４で示す）１／４波長伝送線を含むことができる。１／４波長伝送線の各区分は、個別のインダクタ−コンデンサ（ＬＣ）πトポロジにおいて実装することができる。
【００２７】
具体的に言えば、合成器２０６は、ポート２０２上で受け取ったＲＦ信号のための（インダクタＬ４及びコンデンサＣ６を使用する）１／４波長伝送線の第１の区分と、ポート２０４上で受け取ったＲＦ信号のための（インダクタＬ５及びコンデンサＣ８を使用する）１／４波長伝送線の第１の区分とを含む第１の段３０２を含むことができる。合成器２０６は、ポート２０２上で受け取ったＲＦ信号のための（インダクタＬ２及びコンデンサＣ３を使用する）１／４波長伝送線の第２の区分と、ポート２０４上で受け取ったＲＦ信号のための（インダクタＬ３及びコンデンサＣ５を使用する）１／４波長伝送線の第２の区分とを含む第２の段３０４をさらに含むことができる。ポート２０２、２０４において受け取られた２つのＲＦ信号間の分離は、これらの区分間の抵抗器−コンデンサ（ＲＣ）バンク（すなわち、Ｚ１：第１の段３０２における抵抗器Ｒ２−コンデンサＣ７、及びＺ２：第２の段３０４における抵抗器Ｒ１−コンデンサＣ４）によって決定される抵抗によって定めることができる。第１の段３０２及び第２の段３０４における構成要素の値は、合成器２０６にとって最適な挿入損失及び反射損失をもたらすように選択することができる。
【００２８】
合成器２０６は、インダクタ２０８とコンデンサＣ１及びＣ２とを含む出力トランス脚部３０６も含む。図４に示すように、出力トランス脚部３０６は、調整可能静電容量ネットワーク２１０に結合される。具体的に言えば、コンデンサＣ２は、接地に対して調整可能コンデンサ２１２と並列であり、コンデンサＣ１は、接地に対して調整可能コンデンサ２１４と並列である。上述したように、調整可能コンデンサ２１２、２１４の容量値の好適な値を選択すると、調整可能合成器システム１１２は、合成器２０６の第１及び第２の段３０２、３０４におけるＲＦ信号を最適に分離しながら広い帯域を有することができる。図４に示すように、バンドパスフィルタ２１６は、合成器２０６と調整可能静電容量ネットワーク２１０とに結合され、インダクタＬｐ、Ｌｓ、Ｌｔと、ディスクリートコンデンサＣｓ、Ｃｔとで構成される。コンデンサＣｐは、バンドパスフィルタ２１６とアンテナ１１４との間、及びバンドパスフィルタ２１６と合成器１１２の他の構成要素との間の阻止コンデンサとしての役割を果たす。
【００２９】
調整可能合成器システム１１２の個別部品の好適な値は、ポート２０２、２０４からアンテナ１１４への挿入損失が最小になるようにシミュレーション及び評価に基づいて決定することができる。これらのシミュレーション及び評価は、ポート２０２とポート２０４との間の分離の共振周波数の決定に利用することもできる。調整可能静電容量ネットワーク２１０（すなわち、調整可能コンデンサ２１２、２１４）を使用すると、ポート２０２、２０４からアンテナ１１４までの挿入損失に対する影響を最小限に抑えながら、ポート２０２とポート４０４との間の分離に対して共振周波数を変化させることができる。
【００３０】
図５に、調整可能合成器システム１１２を用いてＲＦ信号を合成する処理５００の実施形態を示す。処理５００では、フィルタ処理済み合成ＲＦ信号をアンテナ上で送信することができる。フィルタ処理済み合成ＲＦ信号は、それぞれが１つのオーディオ信号を含む異なる周波数の２つのＲＦ信号を含むことができる。処理５００のステップのいずれか、一部又は全部は、１又は２以上のプロセッサ及び／又はその他の処理要素（例えば、アナログ−デジタルコンバータ、暗号化チップなど）によって実行することができる。処理５００のステップのいずれか、一部又は全部は、１又は２以上の他のタイプの構成要素（例えば、メモリ、入力及び／又は出力装置、送信機、受信機、バッファ、ドライバ、個別部品など）をプロセッサ及び／又はその他の処理要素と共に利用して実行することもできる。プロセッサ及び／又はその他の処理要素は、調整可能合成器システム１１２及び／又はＲＦ送信機１００内の他の機能を実行することもできる。
【００３１】
ステップ５０２において、調整可能合成器システム内の合成器において２つのＲＦ信号を受け取ることができる。これらの２つのＲＦ信号の各々は、例えば異なる周波数におけるアナログ又はデジタル変調スキームに従って変調されたオーディオ信号を含むことができる。処理５００では、２つのＲＦ信号が合成器によって合成される。ステップ５０４において、調整可能静電容量ネットワークの容量値を決定することができる。調整可能静電容量ネットワークは、合成ＲＦ信号を出力する合成器の出力ポートに結合することができる。ステップ５０６において、決定された容量値を調整可能静電容量ネットワークに設定することができる。調整可能静電容量ネットワークの容量値は、広い動作帯域幅をもたらしながら合成器におけるＲＦ信号間の分離を最大化するように決定される。
【００３２】
いくつかの実施形態では、ステップ５０４において、第１及び第２のＲＦ信号の周波数に基づいて容量値を決定することができる。例えば、プロセッサは、ＲＦ信号の周波数を最大限に分離する好適な調整可能コンデンサ２１２、２１４の容量値が決定されるように、これらの周波数についてルックアップテーブルに問い合わせを行うことができる。考えられる調整可能コンデンサ２１２、２１４の容量値は予め決定し、考えられるＲＦ信号の周波数に関連するものとしてルックアップテーブルに記憶しておくことができる。他の実施形態では、ステップ５０４において、ＲＦスペクトル及び／又は送信アンテナ負荷の測定値に基づいて容量値を決定することができる。いくつかの実施形態では、調整可能静電容量ネットワークが、１つ、２つ又は３つ以上のデジタル調整可能コンデンサを含み、プロセッサによって制御することができる。例えば、デジタル調整可能コンデンサは、プロセッサがシリアルインターフェイス又はその他の制御ポートを通じて制御することができる。
【００３３】
ステップ５０８において、合成器を用いて２つのＲＦ信号を合成ＲＦ信号に合成することができる。上述したように、実施形態では、この合成器を、出力トランス脚部を有する二段ウィルキンソン合成器とすることができる。合成器の第１のポートにおいて第１のＲＦ信号を受け取り、合成器の第２のポートにおいて第２のＲＦ信号を受け取り、合成器の出力ポート上に合成ＲＦ信号を出力することができる。他の実施形態では、合成器を、ディスクリートブランチライン型合成器又はディスクリートハイブリッド合成器とすることもできる。
【００３４】
ステップ５１０において、合成ＲＦ信号をバンドパスフィルタ処理してフィルタ処理済み合成ＲＦ信号にすることができる。ステップ５１０において利用するバンドパスフィルタの入力部は、調整可能静電容量ネットワークと合成器の出力部とに結合することができ、バンドパスフィルタの出力部は、送信アンテナに結合することができる。ステップ５１０におけるバンドパスフィルタ処理は、ＲＦ送信機１００によって送信される周波数帯の範囲外の不要な信号を除去して減衰させることによって、合成器からの合成ＲＦ信号をフィルタ処理することができる。これらの不要な信号は、例えば増幅器によって生成された第２高調波などのスプリアス発射を含むことができる。フィルタ処理済み合成ＲＦ信号は、アンテナ上で送信することができる。
【００３５】
図中のあらゆる処理説明又は処理ブロックは、処理における特定の論理関数又は論理ステップを実行するための１又は２以上の実行可能命令を含むモジュール、セグメント又はコード部分を表すものとして理解すべきであり、当業者であれば理解するように、関連する機能に応じて実質的に同時の又は逆順での実行を含む図示又は説明したものとは異なる順序で機能を実行できる別の実装も本発明の実施形態の範囲に含まれる。
【００３６】
本開示は、様々な実施形態の構築方法及び使用方法を技術に従って説明するためのものであり、その真の意図する公正な範囲及び趣旨を限定するものではない。上述の説明は、包括的であることや、又は開示した正確な形に限定されることを意図するものではない。上記の教示に照らして修正例及び変形例が可能である。（単複の）実施形態は、説明する技術の原理及びその実施可能な応用を示すとともに、様々な実施形態の技術、及び想定される特定の用途に適した様々な修正例を当業者が利用できるように選択して説明したものである。このような全ての修正例及び変形例は、これらの権利を公正に、法的に、かつ公平に認める外延に従って解釈した場合、本出願の係属中に補正される可能性もある添付の特許請求の範囲によって定められる実施形態及びその全ての同等物の範囲に含まれる。
【符号の説明】
【００３７】
１１２  調整可能合成器システム
１１４  アンテナ
２０２  ポート１
２０４  ポート２
２０６  合成器
２０８  インダクタ
２１０  調整可能静電容量ネットワーク
２１２、２１４  調整可能コンデンサ
２１６  バンドパスフィルタ
ＺＬ  負荷インピーダンス
ＺＳ  ソースインピーダンス
【図１】
2018532286.tif 000003
【図２】
2018532286.tif 000004
【図３】
2018532286.tif 000005
【図４】
2018532286.tif 000006
【図５】
2018532286.tif 000007
【国際調査報告】
2018532286.tif 000008
2018532286.tif 000009